【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
入力した時間領域の音声信号をフレームごとに周波数領域信号に変換して周波数スペクトルの時間変化を表す周波数／時間領域信号を取得する取得手段と、
前記周波数／時間領域信号から切り出される、雑音低減処理の対象とする所定の時間幅、所定の周波数幅の参照領域を設定する設定手段と、
前記周波数／時間領域信号における、前記設定された参照領域とサイズが等しく位置が異なる複数の比較領域の各々について、前記参照領域に対する類似度を算出する算出手段と、
前記算出された類似度の高い順に選択された所定数の比較領域の信号を用いて前記参照領域の信号をフィルタリングすることで前記参照領域における雑音を低減するフィルタ処理手段と、
を有することを特徴とする音声処理装置。
【請求項２】
前記設定手段は、複数の参照領域を設定し、
前記算出手段及び前記フィルタ処理手段は、前記複数の参照領域の各々に対して動作を繰り返すことを特徴とする請求項１に記載の音声処理装置。
【請求項３】
前記参照領域は、前記周波数／時間領域信号のうち雑音が発生した時間を含む領域に設定されることを特徴とする請求項１又は２に記載の音声処理装置。
【請求項４】
前記算出手段は、前記参照領域のうち前記雑音が発生した時間の比較領域を類似度の算出から除外することを特徴とする請求項３に記載の音声処理装置。
【請求項５】
前記フィルタ処理手段は、前記参照領域の信号と前記所定数の比較領域の信号の重み付け平均をとることで前記フィルタリングを行うことを特徴とする請求項１乃至４のいずれか１項に記載の音声処理装置。
【請求項６】
前記フィルタ処理手段は、前記所定数の比較領域の信号の重み付け平均をとることで前記フィルタリングを行うことを特徴とする請求項１乃至４のいずれか１項に記載の音声処理装置。
【請求項７】
前記算出手段は、前記複数の比較領域を、前記参照領域と周波数位置が同じで時間位置が異なる領域に設定することを特徴とする請求項１乃至６のいずれか１項に記載の音声処理装置。
【請求項８】
前記算出手段は、前記複数の比較領域を、前記参照領域と時間位置が同じで周波数位置が異なる領域に設定することを特徴とする請求項１乃至６のいずれか１項に記載の音声処理装置。
【請求項９】
フレームごとに前記音声信号のピッチを検出するピッチ検出手段を更に有し、
前記取得手段は、フレームのずらし量を前記検出されたピッチの整数倍に設定する
ことを特徴とする請求項１乃至８のいずれか１項に記載の音声処理装置。
【請求項１０】
フレームごとに前記音声信号のピッチを検出するピッチ検出手段を更に有し、
前記設定手段は、前記所定の周波数幅を前記検出されたピッチに応じた幅に設定する
ことを特徴とする請求項１乃至８のいずれか１項に記載の音声処理装置。
【請求項１１】
入力した時間領域の音声信号のピッチを検出するピッチ検出手段と、
少なくとも前記検出されたピッチの成分が残存するように前記音声信号の周波数帯域制限を行う帯域制限手段と、
前記周波数帯域制限された音声信号から切り出される、雑音低減処理の対象とする所定の時間幅の参照区間を設定する設定手段と、
前記周波数帯域制限された音声信号における、前記設定された参照区間とサイズが等しく位置が異なる複数の比較区間の各々について、前記参照区間に対する類似度を算出する算出手段と、
前記算出された類似度の高い順に選択された所定数の比較区間の信号を用いて前記参照区間の信号をフィルタリングすることで前記参照区間における雑音を低減するフィルタ処理手段と、
を有することを特徴とする音声処理装置。
【請求項１２】
請求項１乃至１１のいずれか１項に記載の音声処理装置を有することを特徴とする撮像装置。
【請求項１３】
撮影レンズと、
前記撮影レンズを駆動するレンズ駆動手段と、
前記撮影レンズを用いて動画を撮影中に入力した音声信号をフレームごとに周波数領域信号に変換して周波数スペクトルの時間変化を表す周波数／時間領域信号を取得する取得手段と、
前記入力した音声信号についてフレームごとに音圧レベルに関連する値を検出する音圧検出手段と、
前記周波数／時間領域信号のうち前記レンズ駆動手段が前記撮影レンズを駆動している時間から切り出される、雑音低減処理の対象とする所定の時間幅、所定の周波数幅の参照領域を設定する設定手段と、
前記周波数／時間領域信号における、前記設定された参照領域とサイズが等しく位置が異なる複数の比較領域の各々について、前記参照領域に対する類似度を算出する算出手段と、
前記算出された類似度の高い順に選択された所定数の比較領域の信号を用いて前記参照領域の信号をフィルタリングすることで前記参照領域における雑音を低減するフィルタ処理手段と、
を有し、
前記算出手段は、前記音圧検出手段により検出された音圧レベルに関連する値が所定の閾値を超えている場合は当該フレームを含む比較領域を類似度の算出から除外することを特徴とする撮像装置。
【請求項１４】
撮影レンズと、
前記撮影レンズを駆動するレンズ駆動手段と、
前記撮影レンズを用いて動画を撮影中に入力した音声信号についてフレームごとに音圧レベルに関連する値を検出する音圧検出手段と、
前記音声信号のうち前記レンズ駆動手段が前記撮影レンズを駆動している時間から切り出される、雑音低減処理の対象とする所定の時間幅の参照区間を設定する設定手段と、
前記音声信号における、前記設定された参照区間とサイズが等しく位置が異なる複数の比較区間の各々について、前記参照区間に対する類似度を算出する算出手段と、
前記算出された類似度の高い順に選択された所定数の比較区間の信号を用いて前記参照区間の信号をフィルタリングすることで前記参照区間における雑音を低減するフィルタ処理手段と、
を有し、
前記算出手段は、前記音圧検出手段により検出された音圧レベルに関連する値が所定の閾値を超えている場合は当該フレームを含む比較区間を類似度の算出から除外することを特徴とする撮像装置。
【請求項１５】
前記フィルタ処理手段は、前記参照区間の信号と前記所定数の比較区間の信号の重み付け平均をとることで前記フィルタリングを行うことを特徴とする請求項１４に記載の撮像装置。
【請求項１６】
前記音声信号は、動画撮影において入力されるものであり、
前記動画撮影において入力した画像における人物の領域を検出する検出手段を更に有し、
前記算出手段は、前記検出手段により人物の領域が検出された時間の比較領域を類似度の算出から除外することを特徴とする請求項１に記載の音声処理装置。
【請求項１７】
音声処理装置の制御方法であって、
取得手段が、入力した時間領域の音声信号をフレームごとに周波数領域信号に変換して周波数スペクトルの時間変化を表す周波数／時間領域信号を取得する取得ステップと、
設定手段が、前記周波数／時間領域信号から切り出される、雑音低減処理の対象とする所定の時間幅、所定の周波数幅の参照領域を設定する設定ステップと、
算出手段が、前記周波数／時間領域信号における、前記設定された参照領域とサイズが等しく位置が異なる複数の比較領域の各々について、前記参照領域に対する類似度を算出する算出ステップと、
フィルタ処理手段が、前記算出された類似度の高い順に選択された所定数の比較領域の信号を用いて前記参照領域の信号をフィルタリングすることで前記参照領域における雑音を低減するフィルタ処理ステップと、
を有することを特徴とする音声処理装置の制御方法。
【請求項１８】
音声処理装置の制御方法であって、
ピッチ検出手段が、入力した時間領域の音声信号のピッチを検出するピッチ検出ステップと、
帯域制限手段が、少なくとも前記検出されたピッチの成分が残存するように前記音声信号の周波数帯域制限を行う帯域制限ステップと、
設定手段が、前記周波数帯域制限された音声信号から切り出される、雑音低減処理の対象とする所定の時間幅の参照区間を設定する設定ステップと、
算出手段が、前記周波数帯域制限された音声信号における、前記設定された参照区間とサイズが等しく位置が異なる複数の比較区間の各々について、前記参照区間に対する類似度を算出する算出ステップと、
フィルタ処理手段が、前記算出された類似度の高い順に選択された所定数の比較区間の信号を用いて前記参照区間の信号をフィルタリングすることで前記参照区間における雑音を低減するフィルタ処理ステップと、
を有することを特徴とする音声処理装置の制御方法。
【請求項１９】
撮影レンズと、前記撮影レンズを駆動するレンズ駆動手段とを有する撮像装置の制御方法であって、
取得手段が、前記撮影レンズを用いて動画を撮影中に入力した音声信号をフレームごとに周波数領域信号に変換して周波数スペクトルの時間変化を表す周波数／時間領域信号を取得する取得ステップと、
音圧検出手段が、前記入力した音声信号についてフレームごとに音圧レベルに関連する値を検出する音圧検出ステップと、
設定手段が、前記周波数／時間領域信号のうち前記レンズ駆動手段が前記撮影レンズを駆動している時間から切り出される、雑音低減処理の対象とする所定の時間幅、所定の周波数幅の参照領域を設定する設定ステップと、
算出手段が、前記周波数／時間領域信号における、前記設定された参照領域とサイズが等しく位置が異なる複数の比較領域の各々について、前記参照領域に対する類似度を算出する算出ステップと、
フィルタ処理手段が、前記算出された類似度の高い順に選択された所定数の比較領域の信号を用いて前記参照領域の信号をフィルタリングすることで前記参照領域における雑音を低減するフィルタ処理ステップと、
を有し、
前記算出ステップは、前記音圧検出ステップで検出された音圧レベルに関連する値が所定の閾値を超えている場合は当該フレームを含む比較領域を類似度の算出から除外することを特徴とする撮像装置の制御方法。
【請求項２０】
撮影レンズと、前記撮影レンズを駆動するレンズ駆動手段とを有する撮像装置の制御方法であって、
音圧検出手段が、前記撮影レンズを用いて動画を撮影中に入力した音声信号についてフレームごとに音圧レベルに関連する値を検出する音圧検出ステップと、
設定手段が、前記音声信号のうち前記レンズ駆動手段が前記撮影レンズを駆動している時間から切り出される、雑音低減処理の対象とする所定の時間幅の参照区間を設定する設定ステップと、
算出手段が、前記音声信号における、前記設定された参照区間とサイズが等しく位置が異なる複数の比較区間の各々について、前記参照区間に対する類似度を算出する算出ステップと、
フィルタ処理手段が、前記算出された類似度の高い順に選択された所定数の比較区間の信号を用いて前記参照区間の信号をフィルタリングすることで前記参照区間における雑音を低減するフィルタ処理ステップと、
を有し、
前記算出ステップは、前記音圧検出ステップで検出された音圧レベルに関連する値が所定の閾値を超えている場合は当該フレームを含む比較区間を類似度の算出から除外することを特徴とする撮像装置の制御方法。
【請求項２１】
コンピュータに、請求項１７又は１８に記載の音声処理装置の制御方法の各ステップを実行させるためのプログラム。
【請求項２２】
コンピュータに、請求項１９又は２０に記載の撮像装置の制御方法の各ステップを実行させるためのプログラム。
【手続補正２】
【補正対象書類名】明細書
【補正対象項目名】発明の名称
【補正方法】変更
【補正の内容】
【発明の名称】音声処理装置、撮像装置、及び、それらの制御方法、並びにプログラム